(57)【特許請求の範囲】
【請求項１】
制動値（Ｂ）を目標制動値（ＢＳ）に調整するための方法であって，ブレーキ（１２，１３）に締付エネルギー（Ｚ）が供給されるとき、少なくとも１つのブレーキ（１２，１３）を備えたブレーキ系によって制動値（Ｂ）が発生され、制動値（Ｂ）が、締付エネルギー（Ｚ）の関数として、記憶されておりかつブレーキ操作とブレーキ解放とで異なる特性曲線（Ｕ，Ｔ）に従って推移し、特定の制動値（Ｂ）についての特性曲線（Ｕ，Ｔ）の差がブレーキ系のヒステリシス（Ｈｙ）であるものにおいて、ブレーキ操作の際締付エネルギー（Ｚ）の上昇後に実際制動値（ＢＩ）が、記憶されている特性曲線（Ｔ）の目標制動値（ＢＳ）に対して、大きい制動値の方向に偏差（以下最初の種類の偏差と称する）（ＢＩ−ＢＳ）を示すとき、既存の締付エネルギー（ＺＳ）が、目標制動値（ＢＳ）に付属したヒステリシス（ＨｙＳ）と一定値又は可変値（以下実効低下（Ｗ）と称する）とからなる値（ＨｙＳ＋Ｗ）だけ低減されることを特徴とする方法。
【請求項２】
最初の種類の偏差（ＢＩ−ＢＳ）の所定の限界値（Ｌ）以上ではじめて偏差の存在することが検知されることを特徴とする、請求項１に記載の方法。
【請求項３】
実効低下（Ｗ）が少なくとも最初の種類の偏差（ＢＩ−ＢＳ）の量に依存していることを特徴とする、請求項１又は２に記載の方法。
【請求項４】
締付エネルギー（Ｚ）の低減後に実際制動値と目標制動値との間になお大きい制動値の方向に残留偏差（ＢＩＥ１−ＢＳ）が存在する場合、目標制動値（ＢＳ）になるまで、締付エネルギーが段階的に引続き低減されることを特徴とする、請求項１ないし３の１つに記載の方法。
【請求項５】
制動過程におけるブレーキ操作の際、既存締付エネルギー（ＺＳ）の低減後になお大きい制動値の方向に残留偏差（ＢＩＥ１−ＢＳ）が存在する場合、最初の種類の偏差（ＢＩ−ＢＳ）が現れる次の制動過程において、目標制動値（ＢＳ）に付属したヒステリシス（ＨｙＳ）を特定の補正値（Ｇ）だけ増大して得られる新たなヒステリシス（ＨｙＧ）が、目標制動値（ＢＳ）に付属したヒステリシス（ＨｙＳ）の代わりに使用されることを特徴とする、請求項１ないし４の１つに記載の方法。
【請求項６】
前記次の制動過程において、新たなヒステリシス（ＨｙＧ）を使用して既存の締付エネルギー（ＺＳ）を低減した後になお大きい制動値の方向に残留偏差（ＢＩＥ１−ＢＳ）が存在する場合、最初の種類の偏差（ＢＩ−ＢＳ）が現れる少なくとも１つの別の制動過程において、その都度新たなヒステリシス（ＨｙＧ）を使用して低減することにより目標制動値（ＢＳ）になるまで、特定の補正値（Ｇ）の使用が繰り返されることを特徴とする、請求項５に記載の方法。
【請求項７】
制動過程におけるブレーキ操作の際、既存の締付エネルギー（ＺＳ）の低減後に、目標制動値（ＢＳ）からの実際制動値（ＢＩＥ２）の残留偏差（ＢＳ−ＢＩＥ２）が小さい制動値の方向に存在する場合、最初の種類の偏差（ＢＩ−ＢＳ）が現れる次の制動過程において、目標制動値（ＢＳ）に付属したヒステリシス（ＨｙＳ）を特定の補正値（Ｖ）だけ低減して得られる新たなヒステリシス（ＨｙＶ）が、目標制動値（ＢＳ）に付属したヒステリシス（ＨｙＳ）の代わりに使用されることを特徴とする、請求項１ないし４の１つに記載の方法。
【請求項８】
前記次の制動過程において、新たなヒステリシス（ＨｙＶ）を使用し既存の締付エネルギー（ＺＳ）を低減した後に実際制動値（ＢＩＥ２）が目標制動値（ＢＳ）から小さい制動値の方向に偏差を生じると、最初の種類の偏差（ＢＩ−ＢＳ）が現れる少なくとも１つの別の制動過程において、その都度新たなヒステリシス（ＨｙＶ）を使用することにより目標制動値になるまで、特定の補正値（Ｖ）の使用が繰り返されることを特徴とする、請求項７に記載の方法。
【請求項９】
請求項１に記載の方法を実施するためのブレーキ系であって、ブレーキ系が，少なくとも１つのブレーキ（１２，１３）の他に、目標制動値信号を発する制動値伝送器（２）と、実際制動値信号を発する制動値センサ（１）と、エネルギー分配器（１１）と、入力側を制動値伝送器（２）及び制動値センサ（１）に接続されかつ出力側をエネルギー分配器（１１）の制御部（１４）に接続された電子制御装置（４）とを有しており、電子制御装置（４）が実際制動値信号を目標制動値信号と比較し、この比較によって決定される締付エネルギー信号をエネルギー分配器（１１）の制御部（１４）に与えるものにおいて、電子制御装置（４）内にヒステリシス（Ｈｙ）が制動値（Ｂ）の関数として記憶されており、電子制御装置（４）が、締付エネルギー信号の上昇後に大きい制動値の方向における実際制動値（ＢＩ）の目標制動値（ＢＳ）からの偏差（以下最初の種類の偏差と称する）（ＢＩ−ＢＳ）を確認すると、目標制動値（ＢＳ）に付属したヒステリシス（ＨｙＳ）と一定値又は可変値（以下実効低下（Ｗ）と称する）とからなる値（ＨｙＳ＋Ｗ）に相当する既存締付エネルギー（ＺＳ）の低減値だけ、締付エネルギー信号を低減するように、この電子制御装置（４）が構成されていることを特徴とするブレーキ系。
【請求項１０】
制動過程におけるブレーキ操作の際、締付エネルギー信号の低減後に実際制動値と目標制動値との間になお大きい制動値の方向に残留偏差（ＢＩＥ１−ＢＳ）が存在する場合、最初の種類の偏差（ＢＩ−ＢＳ）が現れる次の制動過程において、電子制御装置（４）が、特定の補正値（Ｇ）だけ増大したヒステリシス（ＨｙＧ）を使用して締付エネルギー信号を低減し、残留偏差が現れた制動過程に続く別の制動過程において、締付エネルギー信号の低減により各目標制動値（ＢＳ）になるまで、この締付エネルギー信号の低減を繰り返すように、電子制御装置（４）が構成されていることを特徴とする、請求項９に記載のブレーキ系。
【請求項１１】
制動過程におけるブレーキ操作の際、締付エネルギー信号の低減後に目標制動値（ＢＳ）からの実際制動値（ＢＩＥ２）の残留偏差（ＢＳ−ＢＩＥ２）が小さい制動値（Ｂ）の方向に存在する場合、最初の種類の偏差（ＢＩ−ＢＳ）が現れる次の制動過程において、電子制御装置（４）が、特定の補正値（Ｖ）だけ低減されたヒステリシス（ＨｙＶ）を使用して締付エネルギー信号を低減し、残留偏差（ＢＳ−ＢＩＥ２）が現れた制動過程に続く別の制動過程において、締付エネルギー信号の低減により各目標制動値（ＢＳ）になるまで、この締付エネルギー信号の低減を繰り返すように、電子制御装置（４）が構成されていることを特徴とする、請求項９又は１０に記載のブレーキ系。
【発明の詳細な説明】
【０００１】
【産業上の利用分野】
本発明は、請求項１の前提部分に記載された制動値を目標制動値に調整するための方法及びこの方法を実施するためのブレーキ系に関する。
【０００２】
【従来技術】
″制動値の調整″，″偏差の消失″，及び同一内容の概念は、以下において、常に、実際上不可避な公差の範囲内で理解すべきである。
【０００３】
本発明の適用分野を形成するのは、それぞれ、制動された対象物と一緒に、制動値を制御量とし、又締付エネルギーを操作量とする制御回路を形成するブレーキ系である。このようなブレーキ系には、目標制動値要求が送られることによって目標制動値が要求される。ブレーキ系は、締付エネルギーを適当に調整及び変更することによって自動的に目標制動値要求を満たすように努める。
【０００４】
最初に述べられた種類の方法がドイツ連邦共和国特許出願公開第３５０２８２５号明細書により公知である。
【０００５】
請求項１の前提部分に述べられたブレーキ系は、締付エネルギーが供給されると、制動力を発生する。ブレーキ系によって発生される制動値は、ブレーキの制動力に依存した量である。前記制動力自体が制動値であるとき、制動値は専らこの制動力に依存する、しかし、制動値は、ブレーキの制動力によって決定される他に、主として、制動された対象物のパラメータによって決定される。車両技術（ドイツ連邦共和国特許出願公開第３５０２８２５号明細書も参照）では、例えば、車輪と路面との間の制動力及び車両減速度が制動値として一般に用いられる。周知の如く、車両又は車両部分の寸法、又は車両重量が、制動値を一緒に決定する。
【０００６】
締付エネルギーと制動値との間の依存関係には、一般的な形で、次式が妥当する：
Ｂ＝Ｆ・Ｍ・Ｃ・Ｚ        （Ｉ）
Ｂは制動値、
Ｚは締付エネルギー、
Ｃは、場合によっては変速比も含む制動特性を表す係数、
Ｆは制動された対象物の重量を表す係数、
Ｍは制動された対象物の、制動上重要な寸法を表す係数を意味する。
【０００７】
選定された制動値の種類に応じて係数Ｃ，Ｆ，Ｍの１つ又は複数は一定又は可変とすることができる。例えば車両技術において車両減速度が制動値として用いられると、Ｆは可変である。
【０００８】
他方で、選定された制動値の種類に応じて係数Ｃ，Ｆ，Ｍの１つ又は複数は重要でなく、＝１とすることができる。これは、例えば、車両技術において、車輪と路面との間の制動力が制動値として用いられる場合、Ｆに対して妥当する。
【０００９】
図１の制動力・締付エネルギー特性曲線が略示するように、ブレーキは、そのヒステリシスに基づいて、締付エネルギーＺの関数として出力制動力Ｋの特性曲線がブレーキ操作とブレーキ解放とで異なる勾配を示す。ブレーキ操作時、即ち、締付エネルギーＺが上昇する時、又は上昇後に一定に留まる場合、制動力Ｋは、応答抵抗を克服するのに必要な締付エネルギー値ＺＡから、特性曲線Ｘに従って推移する。ブレーキ系のエネルギー溜めによって締付エネルギーＺの最高値ＺＯＵが決まっている場合、ブレーキは最大可能な制動力ＫＭを発する。ブレーキ解放時、即ち、締付エネルギーＺの低下時、又は低下後に締付エネルギーＺが一定に留まる場合、ブレーキは、締付エネルギーＺがＺＯＴ値に低下するまで、引続き制動力ＫＭを発する。締付エネルギーＺが更に低下してはじめて制動力Ｋも低下し、しかも、特性曲線Ｙに従って低下する。締付エネルギーＺがより小さく、又制動力Ｋもそれに応じて小さい場合、ブレーキは同様に挙動する。例えば座標″締付エネルギーＺ１″と座標″制動力Ｋ１″との交点から出発して、制動力の低下は、締付エネルギーがＺ２値に低下した後にはじめて始まる。各制動力Ｋに付属した特性曲線Ｘ，Ｙの締付エネルギーＺの差はそれぞれのヒステリシスであり、特性曲線Ｘ，Ｙの間の面はヒステリシス範囲である。ブレーキ解放時、応答抵抗の故に、制動力Ｋは既に残留締付エネルギーＺＲにおいて零となる。
【００１０】
ブレーキのこの特性がブレーキ系に作用して、ブレーキ系によって発生される制動値Ｂは、締付エネルギーＺの関数として、やはり、ブレーキ操作とブレーキ解放とで異なる特性曲線に従って推移する。このことを、図２が当該特性曲線Ｕ，Ｔで示している。この特性曲線群において、特性曲線Ｕ，Ｔ間の締付エネルギーＺの差、又は特性曲線Ｕ，Ｔ間の面は、ブレーキ系のヒステリシスＨｙ又はヒステリシス群を表す。図１と同様に、締付エネルギー値ＺＡ，ＺＲ，ＺＯＵ，ＺＯＴが特性曲線Ｕ，Ｔの初点又は終点を決定する。例えば、座標″目標制動値ＢＳ″と座標″付属の締付エネルギーＺＳ″との交点に至るまでブレーキ系が操作され、かつ、締付エネルギーＺが減らされると、ブレーキ系が応答して制動値Ｂを低減するよりも前に、−図１について述べたのと同様に−目標制動値ＢＳに付属した特性曲線Ｕ，Ｔ間の締付エネルギーＺＳの差、即ちヒステリシスＨｙＳを克服する必要がある。
【００１１】
上に挙げた式（Ｉ）は、ヒステリシスの故に、ブレーキ操作時にのみ、つまり締付エネルギーＺの上昇時（即ち、その上昇直後）、又は締付エネルギーＺが上昇後に一定に留まる場合に、妥当する。
【００１２】
式（Ｉ）により、ブレーキ操作時に達成された制動値Ｂから出発して、ヒステリシスＨｙには、次の一般式が妥当する：
Ｈｙ＝ＺＡ−ＺＲ＋（ＺＯＵ−ＺＯＴ−ＺＡ＋ＺＲ）・（（Ｂ／Ｆ・Ｍ・Ｃ）−ＺＡ）／（ＺＯＵ−ＺＡ）                              （ＩＩ）
【００１３】
公知の方法は、締付エネルギーを所望の制動値に自動的に設定するが、締付エネルギーを変化する際制動ヒステリシスの効果を自動的に考慮していない。これにより、公知の方法では、ブレーキ操作の際運転者が制動ヒステリシスを考慮してならず、即ちヒステリシスによる時間遅れを補償するため、運転者が比較的先を見越してブレーキペダルを解放するように注意せねばならない。
【００１４】
【発明が解決しようとする課題】
本発明の課題は、最初に述べられた種類の方法を、それが制動値の推移を平滑にするように改良することである。
【００１５】
【課題を解決するための手段】
この課題は、請求項１に記載された発明によって解決される。有利な展開及び本発明を実施するためのブレーキ系は、従属請求項に記載されている。
【００１６】
本発明による方法は、まず記憶されている特性曲線Ｕ及びＴに基いてヒステリシスを自動的に考慮し、複数の制動過程においてこれらの特性曲線Ｕ及びＴからのブレーキ系の万一の偏差が自動的に検出され、自動的に補償されるようにする。こうして本発明による方法は、実際に存在する制動ヒステリシスにいわば自動的に順応する。
本発明による方法を適用すると、制動ヒステリシスの欠点及び影響は、運転者によってもはや感じられなくなる。それにより車両は、運転者の制動希望の変化に直ちに反応する。従って運転者は、制動ヒステリシスによる時間遅れを考慮するため、ブレーキ操作をいわば前もって計画しておく必要はなくなる。本発明によりブレーキ操作とブレーキ解放とで異なる特性曲線の勾配が本発明により補償され、運転者はこの異なる勾配を感じないので、ブレーキ操作の際、運転者は、ブレーキ解放と同じ制動作用減少を行うことができる。これによりブレーキを鋭敏に操作することができる。
【００１７】
本発明は、前記問題及び以下に説明する問題が現れるあらゆる技術分野、及びあらゆる種類の締付エネルギーに適している。
【００１８】
本発明の最も重要な利用分野は、車両技術におけるブレーキ系であり、そこでは液圧媒体及び／又は空気圧媒体の圧力が締付エネルギーとして利用され、空気圧媒体として一般に圧縮空気が用いられる。
【００１９】
【実施例】
図面に基づく以下の説明のなかで本発明のその他の利点が指摘される。
【００２０】
その種類について略号ＥＢＳが一般に用いられる、図３に示された電気制御式ブレーキ系は、基本設計において、エネルギー溜め１０からの締付エネルギーＺの供給によって操作されるブレーキ１２，１３を有する。ブレーキ１２，１３は、通常の如く、制動力を発生するブレーキ装置１２と、締付エネルギーＺを受取ってブレーキ装置１２用締付力に変換する締付装置１３と、詳しくは示されていない付属の伝達部品とからなる。
【００２１】
ブレーキ１２，１３に、より正確には締付装置１３に、供給される締付エネルギーＺを調整するために、ブレーキ１２，１３に付属して電気制御式エネルギー分配器１１が設けられている。この分配器は、一方でエネルギー溜め１０と、他方で締付装置１３と結合されており、更に、図示しない仕方でエネルギー除圧装置と結合されている。液圧媒体、又は空気以外の圧力媒体を使用する場合、エネルギー除圧装置は、通常大気圧にさらされる捕集容器である。圧縮空気を利用する場合エネルギー除圧装置は一般に大気である。
【００２２】
エネルギー分配器１１には、２つの構造様式が一般に用いられる。一方の構造様式（デイジタル式）では、エネルギー分配器１１の電気制御部１４は、その都度固定された締付エネルギー増圧信号、締付エネルギー保圧信号及び減圧信号を必要とする。制御部１４が締付エネルギー増圧信号を受信する限り、エネルギー分配器１１はエネルギー溜め１０を締付装置１３と結合する。制御部１４が締付エネルギー保圧信号を受信する限り、エネルギー分配器１１は締付装置１３をエネルギー除圧装置及びエネルギー溜め１０から分離する。締付エネルギー減圧信号を受信すると、エネルギー分配器１１は締付装置１３をエネルギー溜め１０から分離して、エネルギー除圧装置と結合する。別の構造様式では、エネルギー分配器１１の電気制御部１４が可変締付エネルギー信号を必要とする。締付エネルギー信号を受取ると、エネルギー分配器１１は、締付エネルギー信号に一致した締付エネルギーＺが締付装置１３内に形成されるまで、締付装置１３をエネルギー溜め１０か又はエネルギー除圧装置のいずれかと結合する。締付エネルギーＺと締付エネルギー信号との間の関係は必ずしも線形である必要はないが、この構造様式は、通常、″比例式″と称される。圧力媒体、例えば圧縮空気の圧力を締付エネルギーとして利用する場合、両構造様式ともエネルギー分配器として一般に電磁弁が用いられる。
【００２３】
ブレーキ系は、更に、電気制動値伝送器２と電子制御装置４と制動値センサ１とを有する。式（Ｉ）により、制動値Ｂに取入れられたパラメータの１つ又は複数が可変であると、該当するパラメータを直接的又は間接的に検出する１つ又は複数の別のセンサがブレーキ系に含まれる。こうしたセンサは、複数のセンサを適切に代表したものである限り、符号５が付けられている。
【００２４】
制動値伝送器２は、図面にペダルレバー又はハンドレバーとして示された操作要素３によって、操作力及び／又は操作行程の形で操作者から目標制動値要求を受取り、これに対応した目標制動値信号を発することができる。制動値センサ１は既存の実際制動値ＢＩを測定し、適当な実際制動値信号を発する。他にもセンサが設けられている場合それらは，それらによって検出されたそれぞれの量に関して、センサ５と同様に働く。
【００２５】
制動値伝送器２と制動値センサ１及び場合によってはセンサ５は、電子制御装置４の入力端と接続されている。エネルギー分配器１１の制御部１４は、デイジタル式のとき電子制御装置４の少なくとも２つの出力端と接続されており、比例式のときには電子制御装置４の１つの出力端と接続されている。
【００２６】
電子制御装置４のなかに、以下に述べる機能を、付属の記憶も含めて、実行するのに必要なあらゆる電子部品が設けられており、又、合目的にプログラミングされている。
【００２７】
電子制御装置４は、通常の仕方で、その他の電子モジュール、例えばロック防止電子装置と，構造上及び／又は回路上まとめておくことができる。
【００２８】
次に、比例式のエネルギー分配器１１を基に、図１及び図２により、ブレーキ系の機能様式を説明する。
【００２９】
操作者は、操作要素３で制動値伝送器２に作用を加えることによってブレーキ系を操作する。電子制御装置４は、これによって発生された目標制動値信号を受信すると投入され、目標制動値信号が消えると切られる。その投入時間の間に、電子制御装置４はそのサイクル周波数でもって目標制動値信号を質問し、その都度求められた目標制動値信号を、先行のサイクル時に求められた目標制動値信号を比較し、こうして電子制御装置４は、目標制動値信号が上昇するのか一定に留まるのか又は低下するのかについて常に通知されている。以下の説明から明らかとなるように、締付エネルギーは目標制動値信号に追従する。従って目標制動値信号の推移についての情報は、ちょうど行われているのがブレーキ操作であるのか又はブレーキ解放であるのかを知らせる。選択的に、電子制御装置４は、それが、以下に述べる締付エネルギー信号をサイクルごとに比較し、この信号の推移からブレーキ操作又はブレーキ解放について情報を得るように構成することができる。
【００３０】
目標制動値信号及び場合によってはセンサ５の信号から、電子制御装置４は、上に述べた式（Ｉ）に基づいて、目標制動値ＢＳに付属した締付エネルギ−ＺＳに一致した締付エネルギー信号を計算し、この信号をエネルギー分配器１１に送る。それを受けて分配器は、目標制動値ＢＳに付属した締付エネルギーＺＳが締付装置１３内で増圧されるまで、締付装置１３をエネルギー溜め１０と結合する。目標制動値信号が低下し又はそれに応じて締付エネルギー信号が低減すると、エネルギー分配器１１は、締付装置１３内で締付エネルギーの適当な低下が現われるまで、締付装置１３をエネルギー除圧装置と結合する。
【００３１】
電子制御装置４は、サイクルごとに制動値センサ１にも質問し、この実際制動値信号を目標制動値信号と比較する。ブレーキ操作のとき、つまり目標制動値信号の上昇後、又は目標制動値信号が上昇後に一定に留まるとき、電子制御装置が実際制動値信号と目標制動値信号との偏差を、従って、高制動値Ｂの方向で実際制動値ＢＩと目標制動値ＢＳの偏差ＢＩ−ＢＳを確認すると、つまり実際制動値ＢＩが過大であると、電子制御装置は、先に挙げた式（ＩＩ）に基づいて、目標制動値ＢＳに付属したヒステリシスＨｙＳを計算し、このヒステリシスＨｙＳと実効低下と称される量Ｗとから得られる値ＨｙＳ＋Ｗだけ既存締付エネルギーＺＳの低減に一致した量だけ締付エネルギー信号を低減する。
【００３２】
電子制御装置４の特殊な構成に応じて、実効低下Ｗは固定値とし、又は実際制動値ＢＩと目標制動値ＢＳとの間に存在する偏差ＢＩ−ＢＳの量に依存させることができる。実効低下は、更に、目標制動値ＢＳに付属したヒステリシスＨｙＳ依存させることができる。実効低下Ｗが固定値である場合、電子制御装置４は記憶装置からのこの固定値を読み出す。
【００３３】
実効低下Ｗが偏差ＢＩ−ＢＳ及び前記ヒステリシスＨｙＳの量に依存していると、電子制御装置４は実効低下を次式に基づいて計算する。
Ｗ＝（（ＢＳ／Ｆ・Ｍ・Ｃ）−ＺＡ）・（ＢＩ−ＢＳ）・（（ＢＳ／Ｆ・Ｍ・Ｃ）−ＨｙＳ−ＺＲ）／ＢＳ・（（ＢＳ／Ｆ・Ｍ・Ｃ）−ＺＡ）          （ＩＩＩ）
【００３４】
締付エネルギー信号のこの低減によって、ブレーキ１２，１３によって発生される制動力は図１のブレーキ解放に関する特性曲線Ｙによる実効低下Ｗに付属した値に低下し、これにより、一般に偏差ＢＩ−ＢＳが消失する。
【００３５】
選択的な構成では、電子制御装置４は、締付エネルギー信号の計算に直接続いてヒステリシスＨｙＳも計算し、過大な実際制動値ＢＩが現われるまで一時記憶することができる。
【００３６】
ところで、締付エネルギーＺの前記低減が、最初の偏差ＢＩ−ＢＳの消失ではなく、その残留偏差ＢＩＥ１−ＢＳへの低減をもたらすだけとなることが、時として起きることがある。こうした場合のために、電子制御装置４は、その投入時間の間、つまり持続的制動過程の間、残留偏差ＢＩＥ１−ＢＳも消失するまで、締付エネルギー信号を必要に応じて１段階又は複数の段階で引続き低減するように構成することができる。個々の段階は記憶された固定値とすることができ、この値は実効低下Ｗよりも小さくなければならない。しかし、電子制御装置４は、段階の大きさを次式に従って計算するように構成することもできる：
段階＝（ＢＩＥ１−ＢＳ）・（（ＢＳ／Ｆ・Ｍ・Ｃ）−ＨｙＳ−ＺＲ）／ＢＳ                                                                        （ＩＶ）
【００３７】
実際制動値が過大となるたびに上記の如くに反応するブレーキ系は、実際には、不規則に作動するとして、従って快適でないと、感じられることがある。こうした場合のために、問題としている種類の偏差ＢＩ−ＢＳが所定の閾値Ｌに達してはじめて電子制御装置４がこの偏差ＢＩ−ＢＳの存在することを検知するように、ブレーキ系を展開することができる。この閾値Ｌは、可能な締付エネルギー範囲全体にわたって、電子制御装置４に記憶された一定量とすることができる。しかし、閾値Ｌの量は、目標制動値ＢＳの量にも依存させることができる。この場合、電子制御装置４は、閾値Ｌを、締付エネルギー信号と同時に計算する。最後に指摘された特性を有する閾値の推移が図２に一点鎖線Ｒで書き込まれている。ブレーキ操作の特性曲線Ｕと線Ｒとの間で縦座標と平行に見た差は、それぞれ、各制動値Ｂについて付属の閾値Ｌを示す。この展開の場合、電子制御装置４は、付加的に、式
Ｌ＝ＬＦ・Ｂ＋ＬＯ                                                  （Ｖ）
に基づいて、各制動値Ｂに対する閾値Ｌの量を計算する。式（Ｖ）中、ＬＦは閾値係数、ＬＯは初期閾値である。閾値係数ＬＦは例えば０．００２〜０．１とすることができる。初期閾値ＬＯにより、低（目標）制動値範囲でも特定の閾値が存在しかつこの範囲内でブレーキ系の″浮動″作動様式が低減するように確保される。初期閾値ＬＯは、例えば、
ＬＯ＝（０．０２・・・０．１）・ＢＭ                              （ＶＩ）
とすることができる。理解を助けるために、線Ｒは、各閾値が過度に大きく現れるように書き込まれている。
【００３８】
この展開では、電子制御装置４は、問題となっている偏差ＢＩ−ＢＳが各閾値Ｌの量に達してはじめて、既存締付エネルギーＺＳの前記低減ＨｙＳ＋Ｗに対応した値だけの締付エネルギーの低減を行う。
【００３９】
この展開において、電子制御装置４は、大きな制動値Ｂの範囲内で閾値Ｌの適用を止めるように構成することもできる。この完全制動範囲で肝要なことは最大可能な制動作用であり、この場合、ブレーキ系の均一で快適な作動は従属的意味を有する。
【００４０】
前記式（ＩＩ）に含まれた量のうち、ＺＡ，ＺＲ及びＺＯＴは１つ又は複数の具体的ブレーキを用いた試験で求められる。式（ＩＩ）によって計算され、以下″理論的″と称されるヒステリシスのうち、利用時に現れる実際のヒステリシスは、さまざまな理由から偏差を生じることがある。こうした理由には、運転、保守又は老化に起因してブレーキ系内、殊ににブレーキ内に生じる変化があり、又、ブレーキ系の構成要素、特にブレーキ１２，１３の連続生産から不可避的に生じる品質のばらつきもある。運転に起因した影響のうち、特に、ブレーキ１２，１３の熱的状態を強調しておく。
【００４１】
図２に破線で２つの線Ｎ，Ｏが書込まれている。線Ｎは、実際のヒステリシスが理論的ヒステリシスよりも大きい場合を表す。この例ではブレーキ解放特性曲線Ｔが線Ｎへと変化した。線Ｏは、実際のヒステリシスが理論的ヒステリシスよりも小さい場合を表す。この例ではブレーキ解放特性曲線Ｔが線Ｏへと変化した。
【００４２】
実際のヒステリシスが理論的ヒステリシスよりも大きい場合、目標制動値ＢＳに付属した締付エネルギーＺＳが値ＨｙＳ＋Ｗだけ低減すると、先に論じた残留偏差ＢＩＥ１−ＢＳが生じる。実際のヒステリシスが理論的ヒステリシスよりもはるかに大きい場合、新たな制動値ＢＩＥ１は最初の実際制動値ＢＩに等しいことがあり、又、残留偏差ＢＩＥ１−ＢＳは最初の偏差ＢＩ−ＢＳに等しいことがある。
【００４３】
実際のヒステリシスが理論的ヒステリシスよりも小さい場合、既存の締付エネルギーＺＳを値ＨｙＳ＋Ｗだけ低減した後に発生する実際制動値ＢＩＥ２は目標制動値ＢＳを下まわり、つまり低制動値Ｂの方向にこれから偏差を生じ、こうして、締付エネルギーＺＳを値ＨｙＳ＋Ｗだけ低減した後、新たな偏差ＢＳ−ＢＩＥ２が存在する。
【００４４】
電子制御装置４は、ブレーキ系をその都度の実際のヒステリシスに適合するように展開することができる。
【００４５】
この目的のために、電子制御装置４は、実際のヒステリシスが理論的にヒステリシスよりも大きい場合、その投入時間の間に、つまり持続的制動過程の間に、残留偏差ＢＩＥ１−ＢＳが現れる前記事例の場合と同様に、偏差ＢＩ−ＢＳの消失するまで、それが締付エネルギー信号を１つ又は複数の段階で引き続き低減するように構成することができる。しかし、実際のヒステリシスが理論的ヒステリシスよりもはるかに大きいこの場合、個々の段階は実効低下Ｗの大きさとすることができ、又はこれにより大きくすることでさえできる。実際のヒステリシスが理論的ヒステリシスよりも小さい場合、同じ目的のために、電子制御装置４は、その投入時間の間に、つまり持続的制動過程の間に、偏差ＢＳ−ＢＩＥ２の消失するまで、それが締付エネルギーを１つ又は複数の段階で増大するように構成することができる。個々の段階の大きさには上に述べたことが適宜妥当する。適合を促進するために、電子制御装置は、新たな実際制動値ＢＩＥ２に付属したヒステリシスに合わせて第１段階を量定することができる。
【００４６】
電子制御装置４は、制動過程時に得られた経験に基づいてその後の制動過程のためにブレーキ系を予めその都度の実際のヒステリシスにそれが適合するように、展開することもできる。
【００４７】
この展開において電子制御装置４がある制動過程のとき、最初に存在していた締付エネルギーＺＳの低減後、残留偏差ＢＩＥ１−ＢＳの存在する（実際のヒステリシスが理論的ヒステリシスより大きい）ことを確認すると、電子制御装置は、式（ＩＩ）に基づいて計算したヒステリシスＨｙＳを補正値Ｇだけ増大させ、こうして得られた新たなヒステリシスＨｙＧを記憶する。後続の制動過程において、締付エネルギーＺの上昇後、最初の種類の偏差ＢＩ−ＢＳが現れると、電子制御装置４は、既存の締付エネルギーＺＳを低減すべき値を、記憶された新たなヒステリシスＨｙＧで計算し、この場合この値はＨｙＧ＋Ｗとなり、かつ、それに応じて締付エネルギー信号を量定する。電子制御装置４は、締付エネルギーＺＳを値ＨｙＧ＋Ｗだけ低減した後にこの制動過程にいまなお残留偏差ＢＩＥ１−ＢＳが存在する場合、先に述べたことに合わせて、この制動過程において、残留偏差ＢＩＥ１−ＢＳが現れる制動過程のために、又は残留偏差が現れる別の制動過程において、又、必要なら、残留偏差が現れるその他の制動過程のために、又は残留偏差が現れるその他の制動過程において、この偏差が消失するまで、従ってその都度の目標制動値ＢＳが設定されるまで、それが補正値Ｇの計算、記憶及び運用を繰り返すように、なお展開することができる。
【００４８】
ブレーキ系をその都度の実際のヒステリシスに予め適合するための展開において、電子制御装置４が、ある制動過程において、最初に存在していた締付エネルギーＺＳを値ＨｙＳ＋Ｗだけ低減した後に、実際制動値ＢＩＥ２が目標制動値ＢＳを下まわり、つまり新たな偏差ＢＳ−ＢＩＥ２が存在する（実際のヒステリシスが理論的ヒステリシスよりも小さい）ことを確認すると、電子制御装置は、式（ＩＩ）に基づいて計算したヒステリシスＨｙＳを補正値Ｖだけ低減し、こうして得られた新たなヒステリシスＨｙＶを記憶する。この場合後続の制動過程において締付エネルギーＺの上昇後に、最初の種類の偏差ＢＩ−ＢＳが現れると、電子制御装置４は、既存の締付エネルギーＺＳを低減すべき値を、記憶された新たなヒステリシスＨｙＶで計算し、この場合値はＨｙＶ＋Ｗであり、かつ、それに応じて締付エネルギー信号を量定する。電子制御装置４は、締付エネルギーＺＳを値ＨｙＶ＋Ｗだけ低減した後にこの制動過程中に再び前記種類の偏差ＢＳ−ＢＩＥ２が現れるとき、新たな種類の偏差ＢＳ−ＢＩＥ２が現れる制動過程のために、又はこの偏差が現れる別の制動過程において、又、必要なら、この偏差が現れるその他の制動過程のために、又はこの偏差が現れるその他の青銅過程において、この偏差が消失するまで、従ってその都度の目標制動値ＢＳになるまで、それが補正値Ｖの計算，記憶及び使用を繰り返すように、なお展開されることもできる。
【００４９】
補正値Ｇ，Ｖは加算値又は乗教とすることができる。その量は、実際のヒステリシスと理論的ヒステリシスとの間に実際に現れる偏差に応じて決まる。補正値Ｖが乗教である場合、補正値は、有利には、既存の締付エネルギーＺＳを値ＨｙＳ＋Ｗだけ低減することによって達成される実際制動値ＢＩＥ２と目標制動値ＢＳとの比によって形成され、つまり
Ｖ＝ＢＩＥ２／ＢＳ                                        （ＶＩＩ）
【００５０】
補正値Ｇが乗教である場合、補正値は、有利には、既存の締付エネルギーＺＳをＨｙＳ＋Ｗだけ低減することによって達成された実際制動値ＢＩＥＩと目標制動値ＢＳとの比によって形成され、つまり
Ｇ＝ＢＩＥ１／ＢＳ                                      （ＶＩＩＩ）
【００５１】
この補正値の量は、実際上、ヒステリシスＨｙＳを６０％まで増大させ又は縮減させるようなものとなる。
【００５２】
実際のブレーキ系では，不可避的応答遅延と締付エネルギーを変更するのに必要な時間との故に、通常、制動値Ｂは締付エネルギー信号の変化に時間的に遅れて追従する。
【００５３】
それ故に、締付エネルギーＺの変化に対するブレーキ系の反応が終了してはじめて、持続的制動過程において締付エネルギー信号の前記歩進的適合を、又は新たなヒステリシスＨｙＧ又はＨｙＶの形成を、それが行うように、電子制御装置４を構成するのが望ましい。これは、締付エネルギー信号の変更後に電子制御装置４があるサイクルから次のサイクルにかけて制動値Ｂの変化をもはや確認しない場合である。
【００５４】
その都度の実際のヒステリシスにブレーキ系を適合するための電子制御装置４の前記諸展開は、実際制動値ＢＩと目標制動値ＢＳとの問題としている種類の各偏差ＢＩ−ＢＳに反応するブレーキ系の基本実施の場合にも、又、閾値Ｌの達成後にはじめてこのような偏差ＢＩ−ＢＳの存在を検知する展開の場合にも、実施可能である。
【００５５】
デイジタル式エネルギー分配器１１の場合、電子制御装置４は、締付エネルギー信号を内部的に形成し、この信号を、締付エネルギーを検出するセンサの信号と比較し、かつ、比較の結果に応じて、前記可変締付エネルギー信号の代わりに、締付エネルギー増圧信号又は締付エネルギー保圧信号又は締付エネルギー減圧信号をエネルギー分配器１１の制御部１４に送る。
【００５６】
多くの技術的分野において、複数のブレーキとそれらに付属した構成要素とを備えたブレーキ系は，一般に用いられている。それ故に、これまでに触れたブレーキ１２，１３は複数のブレーキを代表するものとすることができる。別のブレーキの付属して独自のエネルギー溜め及び独自のエネルギー分配器を設けることも一般的である。こうした場合の一例を示すのが、付加的に示されたブレーキ６，７とそのエネルギー溜め９とそのエネルギー分配器８である。ブレーキ６，７も、複数のブレーキを代表するものとすることができる。エネルギー溜めから負荷されるブレーキ及びそのエネルギー分配器をブレーキ回路という総称に含めることは一般的である。車両技術において、例えば、各車軸にブレーキ回路を割り当て、又は、ブレーキ回路を複数の車軸に配分することは一般的であり、この場合対角線配分と称される。
【００５７】
ブレーキ系が複数のエネルギー分配器を有する事例の１つが存在する場合、電子制御装置４は複数のチャネルに分割することができ、このチャネル内で電子制御装置は式（Ｉ）〜（ＶＩＩＩ）をさまざまに処理し、実際のヒステリシスに適合するために締付エネルギー信号の低減をさまざまに行う。これにより、例えば、各エネルギー分配器に配分される締付エネルギー信号の計算を、各エネルギー分配器に付属した単数又は複数のブレーキの特別の特性に調整することが可能となる。この構成は、例えば、１つのブレーキ系内にさまざまなブレーキ、例えば異なる締付装置又は異なるブレーキ装置を備えたブレーキが使用される場合に有益である。この場合、望ましくは、電子制御装置４のチャネル数は既存のエネルギー分配器の数に適合されている。
【００５８】
チャネルに分割された電子制御装置４の最後に述べられた展開では、例えばセンサ５によって検出されるような、例えば締付エネルギーＺＳの計算に含まれた可変量を各チャネル内でさまざまに重み付けすることも可能となる。こうして、ブレーキ間の制動力分布を、従って制動力発生に対するそれらの関与を、変更することができる。この可能性は、車両技術において、例えばすべての車輪で車輪と路面との間で同じ粘着利用率を達成するために、重要である。例えば、ブレーキ回路を車軸ごとに分配した場合、ブレーキ回路に付属したチャネル内で、重量を表す前記係数Ｆを固定値として定め、その他のブレーキ回路に付属した１つ又は複数のチャネル内で、センサ５の信号に応じて、可変値として定めることができる。
【００５９】
最後になお指摘しておくなら、本発明の保護範囲は、以上述べた諸構成及び諸展開を有する実施例に尽きるのではなく、それらの特徴が特許請求の範囲に従属しているすべての構成を含んでいる。
【図面の簡単な説明】
【図１】  ブレーキの特性曲線を示す。
【図２】  ブレーキ系の特性曲線を示す。
【図３】  エネルギーラインを実線、信号ラインを一点鎖線で示すブレーキ系の略示図である。
【符号の説明】
１２，１３      ブレーキ
Ｂ              制動値
ＢＳ            目標制動値
Ｚ，ＺＳ        締付エネルギー
Ｕ，Ｔ          特性曲線
Ｈｙ，ＨｙＳ    ヒステリシス
Ｗ              実効低下
【図１】
0003876425.tif 000002
【図２】
0003876425.tif 000003
【図３】
0003876425.tif 000004